(57)【要約】本発明は、例えばテニス、スカッシュ、バドミントン、スピードミントンおよびラケットボールのような球技とシャトルボールゲーム用のさらに改善された球技用ラケット（ラケット）に関する。ラケットのプレー特性を全体的に改善し、打撃力を効果的に利用して、競技中のボールをサーブ、レシーブおよびリターンする際に、ラケットを競技者の人間工学的運動経過に適合させる目的により、本発明によるラケットは、正弦状に延びる縦方向軸線（５）を備えた正弦状の形状を有しており、この場合打撃部分（１）とシャフト（２）と柄部（３）の始点（１．１；２．１；３．１）と終点（１．２；２．２；３．２）は、各々正弦状に延びる縦方向軸線（５）上にあり、柄部（３）の重心軸線（１１）に対する打撃部分（１）の重心軸線（１０）は、互いに“Ｄ”だけ離れている。
2006520623.tif 000002
【特許請求の範囲】
【請求項１】
ガット部（７）を備えたヘッドフレーム（６）により形成された打撃部分（１）と、シャフト（２）と柄部（３）とから成る、例えばテニス、スカッシュ、バドミントン、スピードミントンおよびラケットボールのような球技及びシャトルボールゲーム用のラケットにおいて、
ボール打撃部分が、正弦状に延びる縦方向軸線（５）を備えた正弦状の形状を全体的に有しており、この場合打撃部分（１）とシャフト（２）と柄部（３）の始点（１．１；２．１；３．１）と終点（１．２；２．２；３．２）とが、各々正弦状に延びる縦方向軸線（５）上にあり、柄部（３）の重心軸線（１１）に対する打撃部分（１）の重心軸線（１０）が互いに“Ｄ”だけ離れていることを特徴とするラケット。
【請求項２】
打撃部分（１）と、シャフト（２）と柄部（３）が、非対称に形成されており、かつ全体的に正弦状に延びる縦方向軸線（５）を有することを特徴とする請求項１記載のラケット。
【請求項３】
打撃部分（１）が非対称に、及びシャフト（２）と柄部（３）が対称に形成されており、この場合打撃部分（１）とシャフト（２）と柄部（３）の始点（１．１；２．１；３．１）と終点（１．２；２．２；３．２）とが、何回か曲がっている縦方向軸線上に配置されていることを特徴とする請求項１記載のラケット。
【請求項４】
打撃部分（１）が対称に形成されている一方で、シャフト（２）と柄部（３）が非対称に形成されており、始点（１．１；２．１；３．１）と終点（１．２；２．２；３．２）が全体的に正弦状に延びる縦方向軸線（５）上に配置されていることを特徴とする請求項１記載のラケット。
【請求項５】
打撃部分（１）と、シャフト（２）と柄部（３）が、対称に形成されており、その始点（１．１；２．１；３．１）と終点（１．２；２．２；３．２）が、打撃部分が全体的に正弦状の本体形状を有するように、何回か曲がっている縦方向軸線上に配置されていることを特徴とする請求項１記載のラケット。
【請求項６】
輪郭断面（８）が柄部（３）の終点（３．２）の領域内で拡張されていることを特徴とする請求項１〜５のいずれか一つに記載のラケット。
【請求項７】
ガット部分の縦方向ガットが、打撃部分（１）のヘッドフレーム（６）の最も外側の点間の連結線（１４）に対して平行に延びており、ガット部分の横方向ガットが、縦方向ガットに対してほぼ９０°の角度で設けられていることを特徴とする請求項１〜６のいずれか一つに記載のラケット。
【請求項８】
ガット部分の縦方向ガットが、打撃部分（１）のヘッドフレーム（６）の最も外側の点間の連結線（１４）に対してほぼ対角線方向に延びており、横方向ガットが対角線方向に延びる縦方向ガットに対してほぼ９０°の角度で設けられていることを特徴とする請求項１〜６のいずれか一つに記載のラケット。
【請求項９】
ヘッドフレーム（６）とシャフト（２）の輪郭（６．１；６．２）の断面が、縦方向軸線（５）により分離したラケットの半分において異なっていることを特徴とする請求項１〜８のいずれか一つに記載のラケット。
【請求項１０】
一体に製造されていることを特徴とする請求項１〜８のいずれか一つに記載のラケット。
【請求項１１】
打撃部分（１）と、シャフト（２）と柄部（３）が、個別の組立品として独立して製造され、かつ完全なラケットを作るために力一体的結合および／または形状一体的結合により互いに固く結合していることを特徴とする請求項１〜８のいずれか一つに記載のラケット。
【発明の詳細な説明】
【技術分野】
【０００１】
本発明は、例えばテニス、スカッシュ、バドミントン、スピードミントンおよびラケットボールのような球技とシャトルボールゲーム用のさらに改善された球技用ラケット（ラケット）に関する。
【背景技術】
【０００２】
競技中のボールを案内しかつ競技者の打撃力をボールに伝達する球技とシャトルボールゲーム用のラケットは、様々なデザインですでに知られている。
【０００３】
実質的に最も広められた従来どおりのデザイン−特許文献１、特許文献２および特許文献３−において、打撃部分すなわち打撃面は、通常柄部の軸線に対して対称に設けられている。このことは、打撃面の重心が柄部軸線上にあり、この場合同時に柄部軸線を延ばすことがラケットの縦方向軸線を形成することを意味する。このラケットの本質的な欠点は、競技者の手の姿勢と腕の姿勢に対して打撃面の位置が不利であることにある。打撃部分の真直ぐな縦方向軸線、シャフトおよび柄部を備えた通常のラケットは、効果的な競技者とラケットの組合せの人間工学的条件には適合していない。
【０００４】
ラケットの真直ぐに延びる縦方向軸線には、高いボールを受けて返す際に競技者のプレーする腕の姿勢を対応して高くする必要がある。しかしながら、力と整合に関して打撃を理想的に行うために、プレーする腕とラケットの角度は４５°以下でなければならない。このことは、わずかでも高いボールには、この４５°の角度範囲を超えるボールを返す必要があることを意味する。これには結果的に競技者の腕による極限的な連係と力の作用を伴う。
【０００５】
打撃部分とシャフトと柄部の軸線が真直ぐでかつ対称であることにより、ラケットは、最適な共振体になり、この共振体は、ボールを受けたり打ったりする際に競技者のプレーする腕に直接、揺動および／または振動を伝播する。これにより打撃の度に競技者の腕に刺激が生じる。競技者は固い握りにより、いわゆる“コンクリートで据付けられた”握りによりこの刺激を吸収しようとするが、他方ではこれにより病気の現象に至るまでの手首の関節痙攣、いわゆるテニス肘が引起され、かつ連係動作のロスとエネルギーロスとを生じる。痙攣のために、個々の指から腕を介して肩に至る筋肉グループすべてを、各打撃後にリラックスさせ、新たに調整しそして再度新たに固定しなければならない。これは時間と精神集中とエネルギーの無駄である。ラケットの固定は柄部で行われ、したがって手の筋肉グループとそれに連結した下側筋肉に関係する。したがって、これから結果的に生じるいわゆるテニス肘は、繰り返しのオーバーストレスと慢性的疲労と打つ度に生じる磨耗現象を足したものである。
【０００６】
前述の不利な特性を防止し、ラケットの姿勢がぐらつかぬよう安定化させ、命中率を高め、競技者にゲームの全体経過に関する安全性を与え、かつ同時に競技中の運動経過を多彩なものにする目的で、ラケットはデザインされている。このようなラケットにあって、
ラケットの打撃部分すなわち打撃面、あるいは柄部は、真直ぐに延びるラケットの対称なあるいは縦方向軸線に対して傾けられている（特許文献４〜９）。
【０００７】
その上さらに、柄部の非対称な輪郭部はすでに提案されており、この非対称な輪郭部は、ラケットを競技者の手の中でさらに強く固定し、かつラケットへの打撃力の伝達を高めるためにグリップ技術を改善するようになっている（特許文献４，１０，１２）。
【０００８】
競技中のボールを効果的にサーブし、レシーブしかつリターンするには、スイートスポットの配設と成形が極めて重要である。スイートスポットは打撃部分の中央にあり、かつ打撃部分の縦方向軸線と横方向軸線の等しくない長さに対応して、打撃部分の縁部に向かって広がっている。このスイートスポットの外側の領域は、ガット部の応力が増大し、かつボールをレシーブする際の力のレベルが好ましくないのでますます不利である。打撃部分のこの部分を使用したプレーは、実質的に連係動作が悪く、かつ大きな力を入れなければならない。
【０００９】
ボールをレシーブする際、ボールのコントロールが何よりも重要であり、できるだけ長く続けなければならない。スイートスポットの縦方向軸線と横方向軸線が長くなればなるほど、ボールと接触する打撃部分のガット部のガットはいっそう可撓になる。これにより競技中のボールが打撃部分のガット部で戻る距離は増え、かつこの距離はこのようにして
長く案内されかつコントロールされる。したがって、スイートスポットの縦方向軸線に沿ったクリアランスは、短い横方向軸線に沿ったクリアランスに比べて実質的に有利である。このことは真直ぐに延びる縦方向軸線を有する通常のラケットを使ってスライスボールとトップスピンボールを打つことに関して一般的なケースである。
【００１０】
真直ぐなラケットの軸線に対して曲がっている打撃部分を備えた前述の公知のラケットは、打撃部分のガット部に衝突した後、ボールを案内しかつコントロールするための延びた距離をすでに有しており、したがってそのことからボールをレシーブしかつリターンする長所を備えた拡張したスイートスポットが備わる。拡張したスイートスポットの外側にある打撃部分の面にボールが当ると、ただ大きな力の印加により反作用する不均一に大きいレバーモーメントが生じる。この大きいレバーモーメントにより柄部によるシャフトの回転が生じ、かつコントロールも力も失われる。真直ぐ延びる縦方向軸線に対して曲がっている柄部を備えた高度に開発されたラケットにおいて、関係が似ている。曲がっている柄部により手首関節への負荷は確かに軽減されるが、打撃部分に当るボールすべてによりプレーする腕の力線の外側にあるレバーモーメントが生じる。力線は柄部が曲がっている場合、打撃部分の外側を離れて延びており、したがって生じるレバーモーメントの一部しか反作用しない。
【００１１】
要約すると、打撃部分と柄部を曲げることにより、人間工学を運動経過に上手く適合させることができることが確かめられる。一方ではしかし、ラケットをこのようにデザインすることで、負の力レベルが生じ、この力レベルはボールのレシーブとリターンに対して不都合に作用する。
【特許文献１】独国特許出願公開第３４３４９５６号明細書
【特許文献２】米国特許第４９９７１８６号明細書
【特許文献３】米国特許第４９１９４３８号明細書
【特許文献４】独国特許第２４０７２１３号明細書
【特許文献５】仏国特許出願公開第２６９６３５１号明細書
【特許文献６】米国特許第４１３１２７８号明細書
【特許文献７】米国特許第４１５５５５０号明細書
【特許文献８】米国特許第４４７８４１６号明細書
【特許文献９】米国特許第４６５９０８０号明細書
【特許文献１０】独国特許出願公開第１００２２２９８号明細書
【特許文献１１】米国特許第４７５９５４６号明細書
【発明の開示】
【発明が解決しようとする課題】
【００１２】
本発明の根底をなす課題は、競技中のボールをレシーブしたりリターンする際に選手の人間工学的動作に十分適合し、かつさらに打撃力の効果的な利用を可能にする、プレー特性が全体的に改善されたラケットを提供することにある。
【課題を解決するための手段】
【００１３】
この課題は、本発明によれば、特許請求項１の特徴によるラケットにより解決される。
本発明によるラケットの他の有利な実施形態は従属請求項２〜１１からわかる。
【００１４】
提案されたラケットは、正弦状に延びる縦方向軸線を備えた正弦状の形状を有しており、打撃部分とシャフトと柄部の始点および終点は、各々正弦状に延びる縦方向軸線上にあり、
柄部の垂直方向の重心点に対する打撃部分の垂直方向の重心点は、互いに“Ｄ”だけ離れている程度である−請求項１。
【００１５】
新しいラケットの重要な長所は、ボールをサーブ、レシーブそしてリターンする際に生じる振動が、真直ぐな縦方向軸線を備えたラケットに関しての場合のように、競技者のプレーする腕の質量に伝達されず、あるいはそれどころか増幅もされないことである。ラケット、特にシャフトの正弦状の形状は、バネのように作用し、かつ生じる振動の大部分を吸収する。本発明によるラケットは、振動の共振を減衰させ、したがってプレーする腕の保護に役立つ。振動減衰効果は、柄部の終点の領域内に設けられた輪郭断面を拡張することによりさらに高めることができる−請求項６。
【００１６】
ラケットの形状が正弦状であることにより、推奨されるラケットは、今まで知られているデザインに比べて、ボールをサーブ、レシーブそしてリターンする際の人間工学的動作経過に関してさらに広範囲に適合するだけでなく、柄部の重心を通過している重心軸線に対して打撃部分が“Ｄ”だけずれていることは有利である。したがって従来のラケットと比べて、プレーする腕と競技者の体の間の角度が同じ場合、ボールをより高くプレーすることができる。ネットプレーをする際特に有利であるこの特性により、ボールを打つ際必要とされる力の使用は減り、かつボールのコントロールがしやすくなる。
【００１７】
その始点と終点が正弦状に延びるラケットの縦方向軸線上にある柄部の湾曲は、フォアハンドの場合であっても、バックハンドの場合であっても、本発明によるラケットの様々な使い方の助けとなり、かつこの湾曲により、打撃部分をずらしたりあるいは斜めにすることから得られる長所をさらに上手に利用することができる。さらに柄部はその湾曲により競技者の握りによりいっそう合う。これにより、ラケットが競技者の手の中でいっそう良好に固定されるグリップコンタクトが大きくなる。同時に、曲がった柄部は、スイートスポットでレシーブされても、打たれてもいないボールにより生じるラケットの回転に抗する効果的なレバーである。
【００１８】
本発明によるラケットの他の重要な長所は、主として正弦状の形状と共通の正弦状に延びる縦方向軸線により、例えば柄部および／または打撃部分を曲げて配設することで生じる望ましくないレバーモーメントが補正されること、言い換えると互いに打ち消しあうことにある。
【００１９】
前にすでに述べたように、打撃部分をずらすかあるいは偏向させることにより、スイートスポットの軸線の交差点も、到来するボールの飛行軌道に対して回転し、同時にスイートスポットの有効面積は変化する。これにより、到来するボールは、真直ぐな縦方向軸線を備えたラケットに関する場合のように、打撃部分のガット部分の縦方向ガットにより優先的にレシーブされるのではなく、ボールの飛行軌道に対してほぼ対角線方向に向けられているガット部の縦方向ガットと横方向ガットによりレシーブされる−請求項７。このような有利な効果は、ガット部の縦方向ガットが、打撃部分のヘッドフレームの最も外側の点間にある連結線に対して平行に延びているのではなく、若干対角線方向に配置されることによりさらに高まる−請求項８。次いでボールは打撃部分のガット部分上で長い距離を進み、それにより長く案内される。同時にボールの広範囲にわたるコントロールがしやすくなる。ガット部の縦方向ガットと横方向ガットに沿ってボールを二重案内（doppelten Fuhrung）することにより、ボールのコントロールが改善されるだけでなく、ボールに対する打撃力の伝達もさらに効率的になる。
【００２０】
効果的なサーブと、スライスおよびトップスピンボールを打つには、ボールを打つ際ボールにスピンをかけねばならない。このために、通常ラケットの打撃部分は、ボールの飛行軌道と交差させ、かつ、競技中のボールに回転効果を作用させるように、競技者によりボールの飛行軌道に対してある角度でわずかに調節される。これにより打撃力はボールに完全に伝達される。力は無くなる。
【００２１】
本発明によるラケットの正弦状の形状と、それに関連した打撃部分の偏向と、前に記載したように、ガット部の配設によって補われた、打撃部分のガット部の横方向ガットと縦方向ガット上での、打たれるかあるいは到来するボールの案内とにより、ボールはその独自の軸線の周りの回転を維持する。この軸線は、競技者がボールにスピンをかける必要なしでボールに回転効果を作用させる。その際一撃の打撃力が全てボールに伝達する。
【００２２】
改善されたプレー特性と他の有利な特性に否定的に影響を与えることなく、本発明によるラケットは対称かあるいは非対称に形成された打撃部分と、対称かあるいは非対称に形成されたシャフトおよび柄部とを備えている。対称に形成されたシャフトおよび柄部の場合、打撃部分、シャフトおよび柄部の縦方向軸線は、正弦形状を一切備えておらず、かつ機能的に直線である。さらに、本発明と一致して、この実施形態の場合、打撃部分と柄部の重心軸線は互いに“Ｄ”だけずれている。さらにラケットは正弦状の形状を有しており、この場合、連続して接続している柄部とシャフトと打撃部分のまっすぐ延びた縦方向軸線は、曲がった正弦状のカーブを有している−請求項２〜５。同時に、打撃部分の非対称の形状により、ガット部の縦方向ガットの長さが長くなり、さらに柄部の長さも長くなる。このことから、打撃力が大きくなり、かつスイートスポットの面積が広がり、それにより打撃部分でのボールの案内とコントロールが改善される。
【００２３】
一方、打撃部分が非対称であるので不均衡が生じ、この不均衡がボールを打ったときの運動経過において回転モーメントを引き起こす。この回転モーメントは、これによりボールに回転効果が伝達される範囲においては望ましい。しかしながら、回転モーメントは、それが極めて強くなり、ラケットが競技者の手の中で傾きがちになると望ましくなくかつ不利である。この状況は、本発明によれば、シャフトと打撃部分の断面輪郭が縦方向軸線により分離されたラケットの相対する半分において一様ではないことにより中和される−請求項９。
【００２４】
本発明によるラケットは一体に製造されているのが好ましい−請求項１０。製造を場合によっては単純化し、かつ分散化するために、ラケットの個別機能グループを別々に製造することができ、かつ組み立て工程において、力一体的結合および／または形状一体的結合により互いに固く結合することができる−請求項１１.
【特許文献１】ドイツ国特許出願第号明細書
【発明を実施するための最良の形態】
【００２５】
本発明を、実施例により以下に詳しく説明する。
【実施例】
【００２６】
図１からわかるように、本発明により製造されたラケットは、正弦状に延びる縦方向軸線５を備えた、正弦状の形状を通して有しており、この縦方向軸線上には、ラケットの機能要素の始点１．１，２．１および３．１と終点１．２，２．２および３．２、打撃部分１、シャフト２及び柄部３が配置されている。図示したラケットは対称に形成された打撃部分１を備え、この打撃部分はヘッドフレーム６とガット部分７により形成されている。この新しい構造的形態により、一連の有利な特性が得られ、この特性は先行した形態においてすでに広範囲に示されている。繰り返しを避けるために、この改善されたプレー特性および他の有利な特性について、本発明の説明のこのパートではもう詳しくは述べない。
【００２７】
ラケットの形状が正弦状なので、打撃部分１の重心軸線１０は、柄部３の重心軸線１１に対して“Ｄ”だけずれているかあるいはそれている。このようにして、特にネットプレーの際有利である変形したてこの作用が得られる。なぜなら競技者のプレーする腕と体の角度が４５度以下の場合ボールをより高くプレーすることができるからである。ラケットの姿勢を安定化させかつラケットの姿勢の形態を多様にすることには、弧状に設計された柄部３が役立つ。加えてこの柄部は、競技者の手の握りにさらによく適合し、それにより競技者の手の中にさらに強固に固定することができる。
【００２８】
さらに縦方向軸線５が正弦状に延びることにより、打撃部分１の中央部におけるスイートスポット９の軸交差点は、到来するボールの球道に対して回転する。すでに述べたように、このことからボールをレシーブしてリターンすることにあたっての重要な長所が得られる。というのも、ボールは打撃部分１のガット部分の長い距離を進み、それにより上手く案内されかつコントロールされる。スイートスポット９の軸交差点が回転することにより、縦方向ガットと横方向ガットは、ボールの球道に対して若干対角線方向に延びている。今まで知られているラケットとは異なり、ボールは縦方向ガットにも横方向ガットにも沿って延びる距離を経由して案内される。これによりボールに対する打撃力の伝達が増大し、この場合ボールは同時にその独自の軸線の周りに回転させられる。このようにして競技者がボールに個別に回転をかける必要なく、ボールは付加的な回転効果を得ることができる。この有利な効果は、ガット部７の縦方向ガットを、打撃部分１のヘッドフレーム５の最も外側の点間にある連結線１４に対して平行にではなく、この連結線１４に対して若干対角線方向に配置することによりさらに増大させることができる。
【００２９】
スイートスポット９の有効面積を拡大する他の方法は、それ自体公知の方法でヘッドフレーム６のクロスバー４を除外し、打撃部分１のガット部の縦方向ガットと横方向ガットを、シャフト２のヘッド領域まで案内し、そこでガットを固定することである。
【００３０】
円弧状の柄部３の形状は、シャフト２の構造的なデザインに続いており、シャフトの始点と終点２．１，２．２は同様に正弦状に延びるラケットの縦方向軸線５上にある。柄部３の重心軸線１１に対して打撃部分１の重心軸線１０を“Ｄ”だけずらしたおかげで、シャフト２のデザインはバネのように作用し、ボールをレシーブしたり打ったりする際に生じる振動は減衰する。さらに推奨されるラケットの減衰特性は、柄部３の終点３．２の領域内の輪郭断面を拡大することによりさらにいっそう増大させることができる。
【００３１】
本発明により製造されかつ図３に示したラケットは、非対称に形成された打撃部分１を有する。打撃部分１がこのような形状であることにより、スイートスポット面９．１の分だけスイートスポット９は広がる。同時にラケットの打撃レバーも長くなり、その結果ボールに対してより大きな打撃力を伝達することができる。スイートスポットの領域が大きいことで、打撃部分１のガット部分とボールが接触している最中のボールの案内とコントロールが改善される。
【００３２】
ボールを打つ際に打撃部分１の形状が非対称であることが原因で生じる大きな回転モーメントにより誘発される潜在的問題に対処するために、ヘッドフレーム６およびシャフト２の輪郭（Profile）６．１；６．２は、ラケットの半分の各々において異なる輪郭断面を有する。互いに相違するこれらの輪郭断面を適切に選択することにより、打撃部分１の形状が非対称であることから生じるラケットの不均衡状態を補正することができる。
【図面の簡単な説明】
【００３３】
【図１】対称に形成された打撃部分を備えた本発明により製造されたラケットの概略図である。
【図２】図１のラケットの側面図である。
【図３】非対称な打撃部分を備えた本発明により製造されたラケットを示す図である。
【図４】図３によるラケットの左右側面図である。
【図５】図３によるラケットの左右側面図である。
【符号の説明】
【００３４】
１        打撃部分
１．１    打撃部分の始点
１．２    打撃部分の終点
２        シャフト
２．１    シャフトの始点
２．２    シャフトの終点
３        柄部
３．１    柄部の始点
・  柄部の終点
４        クロスバー
５        縦方向軸線
６        ヘッドフレーム
・  輪郭
・  輪郭
７        ガット部
８        輪郭断面
９        スイートスポット
９．１    スイートスポット面
１０      打撃部分の重心
１１      柄部の重心
１２      力線
１３      非対称な打撃部分
１４      連結線
【図１】
2006520623.tif 000003
【図２】
2006520623.tif 000004
【図３】
2006520623.tif 000005
【図４】
2006520623.tif 000006
【図５】
2006520623.tif 000007
【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
ガット部（７）を備えたヘッドフレーム（６）により形成された打撃部分（１）と、シャフト（２）と弓形に形成された柄部（３）とから成る、例えばテニス、スカッシュ、バドミントン、スピードミントンおよびラケットボールのような球技及びシャトルボールゲーム用のラケットにおいて、
ラケットが、全体的にＳ字状の形状を有しており、かつヘッドフレーム（６）と打撃部分（１）の上側および下側頂点が、中心線（５）上にあるが、その一方で、シャフト（２）と柄部（３）の配設が、その縦方向延長部において中心線（５）のカーブに続いており、ヘッドフレーム（６）と打撃部分（１）の輪郭（６．１；６．２）の横断面が、中心線（５）により分割されたラケットの半分において異なっているようにして、打撃部分（１）とシャフト（２）と柄部（３）のために全体的にＳ字形状に延びている中心線（５）を備えていることを特徴とするラケット。
【請求項２】
打撃部分（１）が非対称に形成されており、かつ拡張されたスイートスポット面（９．１）を備えていることを特徴とする請求項１記載のラケット。
【請求項３】
柄部（３）の輪郭断面（８）が、柄頭部（３．２）の領域内で拡張されていることを特徴とする請求項１記載のラケット。
【請求項４】
ガット部分の縦方向ガットが、打撃部分（１）のヘッドフレーム（６）の最も外側の点間の連結線（１４）に対して平行に延びており、ガット部分の横方向ガットが、縦方向ガットに対してほぼ９０°の角度で設けられていることを特徴とする請求項１〜３のいずれか一つに記載のラケット。
【請求項５】
ガット部分の縦方向ガットが、打撃部分（１）のヘッドフレーム（６）の最も外側の点間の連結線（１４）に対してほぼ対角線方向に延びており、横方向ガットが対角線方向に延びる縦方向ガットに対してほぼ９０°の角度で設けられていることを特徴とする請求項１〜４のいずれか一つに記載のラケット。
【請求項６】
一体に製造されていることを特徴とする請求項１〜５のいずれか一つに記載のラケット。
【請求項７】
打撃部分（１）と、シャフト（２）と柄部（３）が、個別の組立品として独立して製造され、かつ完全なラケットを作るために力一体的結合および／または形状一体的結合により互いに固く結合していることを特徴とする請求項１〜６のいずれか一つに記載のラケット。
【手続補正書】
【提出日】平成18年1月20日(2006.1.20)
【手続補正１】
【補正対象書類名】明細書
【補正対象項目名】全文
【補正方法】変更
【補正の内容】
【発明の詳細な説明】
【技術分野】
【０００１】
本発明は、例えばテニス、スカッシュ、バドミントン、スピードミントンおよびラケットボールのような球技とシャトルボールゲーム用のさらに改善された球技用ラケット（ラケット）に関する。
【背景技術】
【０００２】
競技中のボールを案内しかつ競技者の打撃力をボールに伝達する球技とシャトルボールゲーム用のラケットは、様々なデザインですでに知られている。
【０００３】
実質的に最も広められた従来どおりのデザイン−特許文献１、特許文献２および特許文献３−において、打撃部分すなわち打撃面は、通常柄部の軸線に対して対称に設けられている。このことは、打撃面の重心が柄部軸線上にあり、この場合同時に柄部軸線を延ばすことがラケットの縦方向軸線を形成することを意味する。このラケットの本質的な欠点は、競技者の手の姿勢と腕の姿勢に対して打撃面の位置が不利であることにある。打撃部分の真直ぐな縦方向軸線、シャフトおよび柄部を備えた通常のラケットは、効果的な競技者とラケットの組合せの人間工学的条件には適合していない。
【０００４】
ラケットの真直ぐに延びる縦方向軸線には、高いボールを受けて返す際に競技者のプレーする腕の姿勢を対応して高くする必要がある。しかしながら、力と整合に関して打撃を理想的に行うために、プレーする腕とラケットの角度は４５°以下でなければならない。このことは、わずかでも高いボールには、この４５°の角度範囲を超えるボールを返す必要があることを意味する。これには結果的に競技者の腕による極限的な連係と力の作用を伴う。
【０００５】
打撃部分とシャフトと柄部の軸線が真直ぐでかつ対称であることにより、ラケットは、最適な共振体になり、この共振体は、ボールを受けたり打ったりする際に競技者のプレーする腕に直接、揺動および／または振動を伝播する。これにより打撃の度に競技者の腕に刺激が生じる。競技者は固い握りにより、いわゆる“コンクリートで据付けられた”握りによりこの刺激を吸収しようとするが、他方ではこれにより病気の現象に至るまでの手首の関節痙攣、いわゆるテニス肘が引起され、かつ連係動作のロスとエネルギーロスとを生じる。痙攣のために、個々の指から腕を介して肩に至る筋肉グループすべてを、各打撃後にリラックスさせ、新たに調整しそして再度新たに固定しなければならない。これは時間と精神集中とエネルギーの無駄である。ラケットの固定は柄部で行われ、したがって手の筋肉グループとそれに連結した下側筋肉に関係する。したがって、これから結果的に生じるいわゆるテニス肘は、繰り返しのオーバーストレスと慢性的疲労と打つ度に生じる磨耗現象を足したものである。
【０００６】
前述の不利な特性を防止し、ラケットの姿勢がぐらつかぬよう安定化させ、命中率を高め、競技者にゲームの全体経過に関する安全性を与え、かつ同時に競技中の運動経過を多彩なものにする目的で、ラケットはデザインされている。このようなラケットにあって、
ラケットの打撃部分すなわち打撃面、あるいは柄部は、真直ぐに延びるラケットの対称なあるいは縦方向軸線に対して傾けられている（特許文献４〜９）。さらに特許文献１０から公知のテニスラケットは、延長した柄部の軸線に対してずれた状態にあるラケットヘッドの重心点を有するこのラケットのデザインに属している。このために、テニスラケットの打撃部分は、真直ぐな柄部に対して、延長した柄部の軸線がさらにラケットヘッドの打撃面と交わっているが、延長した柄部の軸線に対するラケットヘッドの重心点がある一定の範囲だけずれているように設けられている。打撃面が正確に垂直であるラケットの姿勢にあって、ボールが９０°の角度で打撃面に当たったときに、所望の回転安定性がこれらのラケットにとって保証される。延長した柄部軸線に対してラケットの重心がずれた状態で配設されていることにより、ボールが９０°の角度で垂直に保持された打撃面に当たらない各ショットにおいて、さらに進んだ討議において説明されたような、悪い結果を伴う所望されていない回転モーメントが生じる。最もまれな場合に、ボールは柄部軸線の延長部において直接打撃面に当たることがあるので、テニスラケットの打撃部分と柄部の構造的配設及び形態のために生じる回転モーメントは、競技者のグリップ保持部すなわちグリップ位置を変えることにより、補うことはできない。すなわちこの回転モーメントを抑制することはできない。このことは、真直ぐな柄部軸線を備えたラケットすべての場合、さらに特許文献１１の場合にもあてはまる。
【０００７】
さらに特許文献１１〜１３から、打撃部分とバーと柄部とをＳ字状に配設したテニスラケットがすでに公知である。特許文献１１による構造の場合、真直ぐに形成された柄部の延長した柄部軸線は、打撃部分の重心点と交差するが、特許文献１２と１３の構造の場合、柄部軸線は、打撃面のずっと外側にあり、したがってスイートスポットのずっと外側にある。特許文献１３の場合、延長した柄部軸線は、さらに打撃部分の縦方向軸線に対して平行に延びている。これらのラケット構造の共通でかつ重要な欠点は、ボールをレシーブしてリターンする際に極端に大きな回転モーメントが生じ、この大きな回転モーメントは、大きな力を消耗し、かつ競技者の手の中でラケット柄部を強く固定することによってしか抑制することができないことにある。したがって、ボールを可変にかつ制御してリターンすることはほとんど不可能である。
【０００８】
その上さらに、柄部の非対称な輪郭部はすでに提案されており、この非対称な輪郭部は、ラケットを競技者の手の中でさらに強く固定し、かつラケットへの打撃力の伝達を高めるためにグリップ技術を改善するようになっている（特許文献４，１４，１５）。
【０００９】
さらに柄部に対する手の位置を定める柄部の人間工学的輪郭は、特許文献１２及び１３において提案されている。この輪郭は競技者の手の中でラケットを固定するのに、そして打撃力を伝達するのには確実に有利である。打撃面とボールインパクトの間のプレー角度は手首の関節の回転により変化するが、ラケットの柄部における手のグリップ位置のばらばらな変化によっては変化しない。これにより例えば高くプレーされるボールの場合は有利である。
【００１０】
人間工学的な輪郭を描く柄部と延長した柄部軸線に対して非対称に形成されかつ設けられた打撃面を有する、ラケットボールとテニス用のラケットが特許文献１６から公知である。このラケットは上記に記載されたのとほぼ同じ不利な競技特性を備えている。
【００１１】
弓形に形成された柄部を備えたラケットはすでに特許文献１６から公知である。さらにこのラケットには真直ぐな中心線上においてバーと打撃面が設けられており、例えば、前に第１頁の第３段落で詳細に記載した短所を有する。
【００１２】
競技中のボールを効果的にサーブし、レシーブしかつリターンするには、スイートスポットの配設と成形が極めて重要である。スイートスポットは打撃部分の中央にあり、かつ打撃部分の縦方向軸線と横方向軸線の等しくない長さに対応して、打撃部分の縁部に向かって広がっている。このスイートスポットの外側の領域は、ガット部の応力が増大し、かつボールをレシーブする際の力のレベルが好ましくないのでますます不利である。打撃部分のこの部分を使用したプレーは、実質的に連係動作が悪く、かつ大きな力を入れなければならない。
【００１３】
ボールをレシーブする際、ボールのコントロールが何よりも重要であり、できるだけ長く続けなければならない。スイートスポットの縦方向軸線と横方向軸線が長くなればなるほど、ボールと接触する打撃部分のガット部のガットはいっそう可撓になる。これにより競技中のボールが打撃部分のガット部で戻る距離は増え、かつこの距離はこのようにして
長く案内されかつコントロールされる。したがって、スイートスポットの縦方向軸線に沿ったクリアランスは、短い横方向軸線に沿ったクリアランスに比べて実質的に有利である。このことは真直ぐに延びる縦方向軸線を有する通常のラケットを使ってスライスボールとトップスピンボールを打つことに関して一般的なケースである。
【００１４】
真直ぐなラケットの軸線に対して曲がっている打撃部分を備えた前述の公知のラケットは、打撃部分のガット部に衝突した後、ボールを案内しかつコントロールするための延びた距離をすでに有しており、したがってそのことからボールをレシーブしかつリターンする長所を備えた拡張したスイートスポットが備わる。拡張したスイートスポットの外側にある打撃部分の面にボールが当ると、ただ大きな力の印加により反作用する不均一に大きいレバーモーメントが生じる。この大きいレバーモーメントにより柄部によるシャフトの回転が生じ、かつコントロールも力も失われる。真直ぐ延びる縦方向軸線に対して曲がっている柄部を備えた高度に開発されたラケットにおいて、関係が似ている。曲がっている柄部により手首関節への負荷は確かに軽減されるが、打撃部分に当るボールすべてによりプレーする腕の力線の外側にあるレバーモーメントが生じる。力線は柄部が曲がっている場合、打撃部分の外側を離れて延びており、したがって生じるレバーモーメントの一部しか反作用しない。
【００１５】
要約すると、打撃部分と柄部を曲げることにより、人間工学を運動経過に上手く適合させることができることが確かめられる。一方ではしかし、ラケットをこのようにデザインすることで、負の力レベルが生じ、この力レベルはボールのレシーブとリターンに対して不都合に作用する。
【特許文献１】独国特許出願公開第３４３４９５６号明細書
【特許文献２】米国特許第４９９７１８６号明細書
【特許文献３】米国特許第４９１９４３８号明細書
【特許文献４】独国特許第２４０７２１３号明細書
【特許文献５】仏国特許出願公開第２６９６３５１号明細書
【特許文献６】米国特許第４１３１２７８号明細書
【特許文献７】米国特許第４１５５５５０号明細書
【特許文献８】米国特許第４４７８４１６号明細書
【特許文献９】米国特許第４６５９０８０号明細書
【特許文献１０】国際特許出願公開第９０／１４８７０号明細書
【特許文献１１】国際特許出願公開第０１／８７４２４号明細書
【特許文献１２】米国特許第４１４７３４８号明細書
【特許文献１３】ベルギー国特許第１００５０９７号明細書
【特許文献１４】独国特許出願公開第１００２２２９８号明細書
【特許文献１５】米国特許第４７５９５４６号明細書
【特許文献１６】米国特許第４３６０２０１号明細書
【特許文献１７】米国特許第４７４３０２１号明細書
【発明の開示】
【発明が解決しようとする課題】
【００１６】
本発明の根底をなす課題は、競技中のボールをレシーブしたりリターンする際に選手の人間工学的動作に十分適合し、かつさらに打撃力の効果的な利用を可能にする、プレー特性が全体的に改善されたラケットを提供することにある。
【課題を解決するための手段】
【００１７】
この課題は、本発明によれば、特許請求項１の特徴によるラケットにより解決される。
本発明によるラケットの他の有利な実施形態は従属請求項２〜７からわかる。
【００１８】
本発明によるラケットは、全体的にＳ字状の形状を有しており、かつヘッドフレームと打撃部分の上側および下側頂点が、中心線上にあるが、その一方で、シャフトと柄部の配設が、その縦方向延長部において中心線のカーブに続いており、ヘッドフレームと打撃部分の輪郭の横断面が、中心線により分割されたラケットの半分において異なっているようにして、打撃部分とシャフトと柄部のために全体的にＳ字形状に延びている中心線を備えている。
【００１９】
新しいラケットの重要な長所は、ボールをサーブ、レシーブそしてリターンする際に生じる振動が、真直ぐな縦方向軸線を備えたラケットに関しての場合のように、競技者のプレーする腕の質量に伝達されず、あるいはそれどころか増幅もされないことである。ラケット、特にシャフトのＳ字状の形状は、バネのように作用し、かつ生じる振動の大部分を吸収する。本発明によるラケットは、振動の共振を減衰させ、したがってプレーする腕の保護に役立つ。振動減衰効果は、柄部の終点の領域内に設けられた輪郭断面を拡張することによりさらに高めることができる−請求項３。
【００２０】
ラケットの形状がＳ字状であることにより、推奨されるラケットは、今まで知られているデザインに比べて、ボールをサーブ、レシーブそしてリターンする際の人間工学的動作経過に関してさらに広範囲に適合するだけでなく、柄部の重心を通過している重心軸線に対して打撃部分がずれていることは有利である。したがって従来のラケットと比べて、プレーする腕と競技者の体の間の角度が同じ場合、ボールをより高くプレーすることができる。ネットプレーをする際特に有利であるこの特性により、ボールを打つ際必要とされる力の使用は減り、かつボールのコントロールがしやすくなる。
【００２１】
その始点と終点がＳ字状に延びるラケットの中心線上にある柄部の湾曲は、フォアハンドの場合であっても、バックハンドの場合であっても、本発明によるラケットの様々な使い方の助けとなり、かつこの湾曲により、打撃部分をずらしたりあるいは斜めにすることから得られる長所をさらに上手に利用することができる。さらに柄部はその湾曲により競技者の握りによりいっそう合う。これにより、ラケットが競技者の手の中でいっそう良好に固定されるグリップコンタクトが大きくなる。同時に、曲がった柄部は、スイートスポットでレシーブされても、打たれてもいないボールにより生じるラケットの回転に抗する効果的なレバーである。
本発明によるラケットの他の重要な長所は、主としてＳ字状の形状と共通のＳ字状に延びる中心線により、例えば柄部および／または打撃部分を曲げて配設することで生じる望ましくないレバーモーメントが補正されること、言い換えると互いに打ち消しあうことにある。
【００２２】
前にすでに述べたように、打撃部分をずらすかあるいは偏向させることにより、スイートスポットの軸線の交差点も、到来するボールの飛行軌道に対して回転し、同時にスイートスポットの有効面積は変化する。これにより、到来するボールは、真直ぐな縦方向軸線を備えたラケットに関する場合のように、打撃部分のガット部分の縦方向ガットにより優先的にレシーブされるのではなく、ボールの飛行軌道に対してほぼ対角線方向に向けられているガット部の縦方向ガットと横方向ガットによりレシーブされる−請求項４。このような有利な効果は、ガット部の縦方向ガットが、打撃部分のヘッドフレームの最も外側の点間にある連結線に対して平行に延びているのではなく、若干対角線方向に配置されることによりさらに高まる−請求項５。次いでボールは打撃部分のガット部分上で長い距離を進み、それにより長く案内される。同時にボールの広範囲にわたるコントロールがしやすくなる。ガット部の縦方向ガットと横方向ガットに沿ってボールを二重案内（doppelten Fuhrung）することにより、ボールのコントロールが改善されるだけでなく、ボールに対する打撃力の伝達もさらに効率的になる。
【００２３】
効果的なサーブと、スライスおよびトップスピンボールを打つには、ボールを打つ際ボールにスピンをかけねばならない。このために、通常ラケットの打撃部分は、ボールの飛行軌道と交差させ、かつ、競技中のボールに回転効果を作用させるように、競技者によりボールの飛行軌道に対してある角度でわずかに調節される。これにより打撃力はボールに完全に伝達される。力は無くなる。
【００２４】
本発明によるラケットの正弦状の形状と、それに関連した打撃部分の偏向と、前に記載したように、ガット部の配設によって補われた、打撃部分のガット部の横方向ガットと縦方向ガット上での、打たれるかあるいは到来するボールの案内とにより、ボールはその独自の軸線の周りの回転を維持する。この軸線は、競技者がボールにスピンをかける必要なしでボールに回転効果を作用させる。その際一撃の打撃力が全てボールに伝達する。
【００２５】
改善されたプレー特性と他の有利な特性に否定的に影響を与えることなく、本発明によるラケットは対称かあるいは非対称に形成された打撃部分を備えている。さらにラケットはＳ字状の形状を有している。同時に、打撃部分の非対称の形状により、ガット部の縦方向ガットの長さが長くなり、さらに柄部の長さも長くなる。このことから、打撃力が大きくなり、かつスイートスポットの面積が広がり、それにより打撃部分でのボールの案内とコントロールが改善される。
【００２６】
一方、打撃部分が非対称であるので不均衡が生じ、この不均衡がボールを打ったときの運動経過において回転モーメントを引き起こす。この回転モーメントは、これによりボールに回転効果が伝達される範囲においては望ましい。しかしながら、回転モーメントは、それが極めて強くなり、ラケットが競技者の手の中で傾きがちになると望ましくなくかつ不利である。この状況は、本発明によれば、シャフトと打撃部分の断面輪郭が縦方向軸線により分離されたラケットの相対する半分において一様ではないことにより中和される−請求項１。
本発明によるラケットは一体に製造されているのが好ましい−請求項６。製造を場合によっては単純化し、かつ分散化するために、ラケットの個別機能グループを別々に製造することができ、かつ組み立て工程において、力一体的結合および／または形状一体的結合により互いに固く結合することができる−請求項７。
【発明を実施するための最良の形態】
【００２７】
本発明を、実施例により以下に詳しく説明する。
【実施例】
【００２８】
図１からわかるように、本発明により製造されたラケットは、Ｓ字状に延びる中心線５を備えた、正弦状の形状を通して有しており、この縦方向軸線上には、ラケットの機能要素の始点１．１，２．１および３．１と終点１．２，２．２および３．２、打撃部分１、シャフト２及び柄部３が配置されている。図示したラケットは対称に形成された打撃部分１を備え、この打撃部分はヘッドフレーム６とガット部分７により形成されている。この新しい構造的形態により、一連の有利な特性が得られ、この特性は先行した形態においてすでに広範囲に示されている。繰り返しを避けるために、この改善されたプレー特性および他の有利な特性について、本発明の説明のこのパートではもう詳しくは述べない。
【００２９】
ラケットの姿勢を安定化させかつラケットの姿勢の形態を多様にするには、弓形に設計された柄部３が役立つ。加えてこの柄部は、競技者の手の握りにさらによく適合し、それにより競技者の手の中にさらに強固に固定することができる。
【００３０】
さらに中心線５がＳ字状に延びることにより、打撃部分１の中央部におけるスイートスポット９の軸交差点は、到来するボールの球道に対して回転する。すでに述べたように、このことからボールをレシーブしてリターンすることにあたっての重要な長所が得られる。というのも、ボールは打撃部分１のガット部分の長い距離を進み、それにより上手く案内されかつコントロールされる。スイートスポット９の軸交差点が回転することにより、縦方向ガットと横方向ガットは、ボールの球道に対して若干対角線方向に延びている。今まで知られているラケットとは異なり、ボールは縦方向ガットにも横方向ガットにも沿って延びる距離を経由して案内される。これによりボールに対する打撃力の伝達が増大し、この場合ボールは同時にその独自の軸線の周りに回転させられる。このようにして競技者がボールに個別に回転をかける必要なく、ボールは付加的な回転効果を得ることができる。この有利な効果は、ガット部７の縦方向ガットを、打撃部分１のヘッドフレーム５の最も外側の点間にある連結線１４に対して平行にではなく、この連結線１４に対して若干対角線方向に配置することによりさらに増大させることができる。
【００３１】
スイートスポット９の有効面積を拡大する他の方法は、それ自体公知の方法でヘッドフレーム６のクロスバー４を除外し、打撃部分１のガット部の縦方向ガットと横方向ガットを、シャフト２のヘッド領域まで案内し、そこでガットを固定することである。
【００３２】
弓形の柄部３の形状は、シャフト２の構造的なデザインに続いており、この場合柄部の始点と終点は同様にＳ字状に延びるラケットの中心線５上にある。シャフト２のデザインはバネのように作用し、ボールをレシーブしたり打ったりする際に生じる振動は減衰する。さらに推奨されるラケットの減衰特性は、ウェブ２と柄部３の接続箇所の領域内の輪郭断面を拡大することによりさらにいっそう増大させることができる。
【００３３】
本発明により製造されかつ図３に示したラケットは、非対称に形成された打撃部分１を有する。打撃部分１がこのような形状であることにより、スイートスポット面９．１の分だけスイートスポット９は広がる。同時にラケットの打撃レバーも長くなり、その結果ボールに対してより大きな打撃力を伝達することができる。スイートスポットの領域が大きいことで、打撃部分１のガット部分とボールが接触している最中のボールの案内とコントロールが改善される。
【００３４】
ボールを打つ際に打撃部分１の形状が非対称であることが原因で生じる大きな回転モーメントにより誘発される潜在的問題に対処するために、ヘッドフレーム６およびシャフト２の輪郭６．１；６．２は、中心線５により分割されたラケットの半分において異なる輪郭断面を有する。互いに相違するこれらの輪郭断面を適切に選択することにより、打撃部分１の形状が非対称であることから生じるラケットの不均衡状態を補正することができる。
【図面の簡単な説明】
【００３５】
【図１】対称に形成された打撃部分を備えた本発明により製造されたラケットの概略図である。
【図２】図１のラケットの側面図である。
【図３】非対称な打撃部分を備えた本発明により製造されたラケットを示す図である。
【図４】図３によるラケットの左右側面図である。
【図５】図３によるラケットの左右側面図である。
【符号の説明】
【００３６】
１        打撃部分
２        シャフト
３        柄部
・  柄頭部  
５        中心線
６        ヘッドフレーム
・  輪郭
・  輪郭
８        輪郭断面
９        スイートスポット
・  スイートスポット面
１４      連結線
【手続補正書】
【提出日】平成18年1月20日(2006.1.20)
【手続補正１】
【補正対象書類名】図面
【補正対象項目名】図１
【補正方法】変更
【補正の内容】
【図１】
2006520623.tif 000008
【手続補正２】
【補正対象書類名】図面
【補正対象項目名】図３
【補正方法】変更
【補正の内容】
【図３】
2006520623.tif 000009
【国際調査報告】
2006520623.tif 000010
2006520623.tif 000011
2006520623.tif 000012
2006520623.tif 000013
2006520623.tif 000014
2006520623.tif 000015